(57)【要約】【課題】  ＨＤＤのような大容量記録媒体を有するデジタルカメラに記録された複数の画像を、時系列を含むユーザーが希望する順番で容易に統合し、可搬型記録媒体にバックアップする。【解決手段】  電子カメラ装置１のＨＤＤ３２Ａに記録された画像ファイルがユーザーにより選択され（ステップＳ１０２）、選択された複数画像の各ファイル名のリストがバックアップリスト２０１として作成される（ステップＳ１０３）。バックアップリスト（２０１）に登録されたファイル名の順番を指定すると（ステップＳ１０８）、前記ファイル名が、指定された順番で配置される（ステップＳ１１０）。このようにして作成されたバックアップリスト２０１ｂは外部記録装置に送信される。ユーザーにより選択された複数の画像ファイル（画像データ）は、バックアップリストに記載された順番に従って外部記録装置２００に転送され、動画像として統合される。【選択図】    図６
2006311268.tif 000002
【特許請求の範囲】
【請求項１】
光学像を撮影し、静止画又は動画を含む画像を提供する撮影手段と、
記録媒体を有し、前記撮影手段によって得られた画像を、画像ファイルとして前記記録媒体に記録する記録手段と、
前記記録手段に記録された前記画像を表示する表示手段と、
前記記録媒体に記録された前記画像を前記表示手段を用いて任意に選択するための選択手段と、
前記選択手段により選択した複数画像の各ファイル名のリストをバックアップリストとして作成する作成手段と、
前記バックアップリストに登録された前記ファイル名の順番を指定する指定手段と、
前記指定手段により指定された順番に、前記ファイル名を前記バックアップリストにおいて配置する配置手段と、
前記配置手段により前記ファイル名が配置されたバックアップリストを、前記複数の画像を記録するための外部記録装置に送信する手段と、
を具備することを特徴とする電子カメラ装置。
【請求項２】
前記指定手段は前記ファイル名の順番として、時系列あるいは、各画像が前記選択手段により選択された順番を指定することを特徴とする請求項１記載の電子カメラ装置。
【請求項３】
前記記録手段は、前記画像をフォルダ単位に記録する手段を有し、
前記選択手段は、複数のフォルダに渡り前記画像を選択する手段を有し、
前記指定手段は、前記ファイル名を前記フォルダ単位に配置するか否か指定する手段を有することを特徴とする請求項２記載の電子カメラ装置。
【請求項４】
記録媒体を有し、該記録媒体に記録された画像を任意に選択可能であり、前記選択した画像のファイル名をバックアップリストとしてファイル化する機能を有する電子カメラ装置に接続される画像記録装置であって、
前記バックアップリストのファイルを前記電子カメラ装置から読み込む手段と、
前記バックアップリストに登録された前記ファイル名の配置順に、対応する画像を前記電子カメラ装置から取り込む取り込み手段と、
前記取り込み手段により取り込まれた前記複数の画像を、前記ファイル名の配置順に連続して再生される１つの動画データに統合する統合手段と、
前記統合手段により統合された前記動画データを可搬型記録媒体に記録する記録手段と、
を具備することを特徴とする画像記録装置。
【請求項５】
前記電子カメラ装置は、前記画像を前記記録媒体にフォルダ単位で記録する手段を有し、前記ファイル名は、前記バックアップリストに前記フォルダ単位に登録され、
前記統合手段は、前記複数の画像を前記フォルダ単位に統合する手段を有することを特徴とする請求項４記載の画像記録装置。
【請求項６】
記録媒体を有し、該記録媒体に記録された画像を任意に選択可能であり、前記選択した画像のファイル名をバックアップリストとしてファイル化する機能を有する電子カメラ装置に接続されるパーソナルコンピュータに導入される画像記録用アプリケーションソフトウェアであって、
前記バックアップリストのファイルを前記電子カメラ装置から読み込むステップと、
前記バックアップリストに登録された前記ファイル名の配置順に、対応する画像を前記電子カメラ装置から取り込むステップと、
前記取り込まれた前記複数の画像を、前記ファイル名の配置順に連続して再生される１つの動画データに統合するステップと、
統合された前記動画データを記録媒体に記録するステップと、
を具備することを特徴とする画像記録用アプリケーションソフトウェア。
【発明の詳細な説明】
【技術分野】
【０００１】
本発明は、撮影して記録された複数の画像を外部記録装置によりバックアップする機能を有する電子カメラ装置に関する。
【背景技術】
【０００２】
デジタルカメラ等の電子カメラ装置は、半導体メモリからなるメモリカードなどの可搬型記録媒体を装着可能である。撮影した画像はメモリカードに格納できる。ユーザーの操作により、メモリカードに格納されている画像データが読み出され、カメラに装備されている液晶表示部に表示される。
【０００３】
下記特許文献１には、デジタルカメラで撮影して記録した複数の画像をメモリカードから読出し、それら画像を基に、複数の画像が連続して再生される動画像データを作成する方法及び装置が開示されている。
【特許文献１】特開２００４−６４３９６号公報
【発明の開示】
【発明が解決しようとする課題】
【０００４】
最近になって、大容量記録媒体であるＨＤＤ(hard disk drive) を搭載したデジタルカメラが開発された。このようなカメラでは、記録できる静止画の数及び動画像の記録時間が、従来のデジタルカメラより飛躍的に増大されている。
【０００５】
ＨＤＤ搭載カメラに静止画及び動画を含む複数の画像が記録されている場合、ＨＤＤにおけるそれら画像の格納場所の順番と、それら画像が撮影された日時の順番は、必ずしも一致していない。つまり、ＨＤＤ搭載カメラに記録された複数の画像は時系列に並んでいない場合がある。そのような場合、ＨＤＤ搭載カメラからＰＣ(personal computer)といった外部記録装置に画像を転送して格納すると、画像は時系列に並んでいない。従って、格納された複数の画像に基づいて、時系列に複数の画像が連続して再生されるような１つの動画データを作成し、ＤＶＤのような記録媒体に記録する場合、ユーザーが複数の画像を時系列に並べ替えるといった手間が生じる。
【０００６】
本発明は、ＨＤＤのような大容量記録媒体を有するデジタルカメラに記録された複数の画像を、時系列を含むユーザーが希望する順番で統合し、外部記録装置を用いて可搬型記録媒体に容易にバックアップできる電子カメラ装置及び画像記録装置ならびに画像記録用アプリケーションソフトウェアを提供することを目的とする。
【課題を解決するための手段】
【０００７】
本発明に係る電子カメラ装置は、光学像を撮影し、静止画又は動画を含む画像を提供する撮影手段と、記録媒体を有し、前記撮影手段によって得られた画像を、画像ファイルとして前記記録媒体に記録する記録手段と、前記記録手段に記録された前記画像を表示する表示手段と、前記記録媒体に記録された前記画像を任意に選択するための選択手段と、前記選択手段により選択した複数画像の各ファイル名のリストをバックアップリストとして作成する作成手段と、前記バックアップリストに登録された前記ファイル名の順番を指定する指定手段と、前記指定手段により指定された順番に、前記ファイル名を前記バックアップリストにおいて配置する配置手段と、前記配置手段により前記ファイル名が配置されたバックアップリストを、前記複数の画像を記録するための外部記録装置に送信する手段とを具備する。
【０００８】
又、本発明に係る画像記録装置は、記録媒体を有し、該記録媒体に記録された画像を任意に選択可能であり、前記選択した画像のファイル名をバックアップリストとしてファイル化する機能を有する電子カメラ装置に接続される画像記録装置であって、前記バックアップリストのファイルを前記電子カメラ装置から読み込む手段と、前記バックアップリストに登録された前記ファイル名の配置順に、対応する画像を前記電子カメラ装置から取り込む取り込み手段と、前記取り込み手段により取り込まれた前記複数の画像を、前記ファイル名の配置順に連続して再生される１つの動画データに統合する統合手段と、前記統合手段により統合された前記動画データを可搬型記録媒体に記録する記録手段とを具備する。
【発明の効果】
【０００９】
ＨＤＤのような大容量記録媒体を有するデジタルカメラに記録された複数の画像を、時系列を含むユーザーが希望する順番で統合し、外部記録装置を用いて可搬型記録媒体に容易にバックアップすることができる。又、ユーザーが選択した複数の画像を基に、ストーリー性を持った動画データを複雑な操作無しに生成可能となる。
【発明を実施するための最良の形態】
【００１０】
以下、図面を参照してこの発明の実施の形態を説明する。
【００１１】
図１（Ａ）、図１（Ｂ）は、本発明が適用される電子カメラ装置１の概観を示す図である。図１（Ａ）は電子カメラ装置１を前方下部から見たときの斜視図である。１０１は撮像レンズ、１０２はフラッシュ、１０３はシャッターボタン、１０４はリモコン受信部、１０５はバッテリーカバーである。
【００１２】
図１（Ｂ）は電子カメラ装置１を後方の左側から見たときの斜視図である。１１１は液晶モニタ、１１２はスピーカであり、これらは表示部１１０として一体化されている。この表示部１１０は、通常は電子カメラ装置１の本体の凹部に収まるもので、使用時には図に示すように開かれる。
【００１３】
１１５はムービー録画ボタンであり、動画記録を行うときに操作される。１１４はズームバーであり、ズーム調整に使用される。１１６はジョグダイヤルであり、各種機能の選択操作を行うために使用され、１２０のＯＫボタンにより選択された機能が確定される。ジョグダイヤル１１６の操作内容、状況は液晶モニタ１１１に表示される。１１７はメニューボタンであり、モニタ１１１にメニュー表示を行うために使用される。１１８はモードレバーであり、撮影モード／再生モードの切替えを行うために使用される。１１９は着脱可能な半導体メモリカードを収容するスロットのカバーであり、１１３は電源オンオフ用のパワーボタンである。
【００１４】
図２は、上記の電子カメラ装置１の光学系、電気系の構成を示すブロック図である。レンズ１０１から取り込まれた被写体像は、撮像素子１２（例えばＣＣＤ撮像素子）の結像面に結像する。被写体像は、ここで電気信号に変換されアナログデジタル（Ａ／Ｄ）変換部１３によりデジタル信号に変換され、信号処理部１４に入力する。信号処理部１４では、ガンマ補正、色信号分離、ホワイトバランス調整等が行われる。撮像素子１２、Ａ／Ｄ変換部１３、信号処理部１４などは撮像部として機能する。
【００１５】
通常の撮影状態でシャッタ操作がなされていないときは、信号処理部１４からの映像データは、メモリコントローラ１５を介して画像表示処理部６１に入力される。ここでは、撮影した画像を液晶モニタ１１１に表示するための変換処理及びメニュー等の合成処理を行う。画像表示処理部６１からの画像データは、液晶モニタ１１１に供給される。これにより、撮像中の画像、あるいはスタンバイ状態で狙っている被写体画像が液晶モニタ１１１に表示される。
【００１６】
シャッタ操作がなされると、撮像画像データは、画像圧縮・伸張処理部１６において、画像圧縮（例えばＪＰＥＧ方式による圧縮）され、ＣＰＵ（中央演算装置）２０の制御の元で、記録メディアＩ／Ｏ ３１を介してハードディスク３２Ａ、或いは半導体メモリ（例えばＳＤカードと称されるメモリ）３２Ｂに格納される。記録メディアとしては、ここに示したものに限定されず光ディスクであってもよい。
【００１７】
記録メディアに保存されている画像データが読み出された場合は、該画像データはＣＰＵ２０の制御の元で、画像圧縮・伸張処理部１６において伸張処理され、メモリコントローラ１５を介して画像表示処理部６１に入力される。これにより再生画像が液晶モニタ１１１に表示される。
【００１８】
ワークメモリ１７は、例えば、画像データを編集したり、サムネイル画像を作成したり、画像の順番の入れ替えをするときに利用される。さらには、各種のアイコンを編集する場合にも利用される。このワークメモリ１７は、１画面分の画像データ或は複数画面分の画像データを保存することができる。このワークメモリ１７に保存されている画像データは、メモリコントローラ１５を介して画像表示処理部６１に入力されるので、液晶モニタ１１１で画像編集の様子を確認することができる。
【００１９】
編集時あるいは撮影時には、ＣＰＵ２０により制御され、マイク４３、音声Ｉ／Ｏ ４１を介して音声データも取り込むことができる。音声データは、撮影した画像データとペアとなり記録メディアに記録される。記録された音声データを再生するときは、撮像した画像データと同時に記録メディアから読み出し、画像再生を行いながら音声Ｉ／Ｏ ３１を介してスピーカ１１２から音声出力することができる。但し、本発明では、画像を再生し、確認を行うときに音声は消音することも可能である。
【００２０】
ＣＰＵ２０に対しては、操作部２１及びリモコン受信部１０４を介して、外部からの操作信号が与えられる。撮影時にＣＰＵ２０は、制御部１８を介して、操作信号に応じてズーム調整、自動アイリス調整（ＡＥ）、自動フォーカス調整（ＡＦ）、フラッシュ制御等を行うことができる。またＣＰＵ２０は、外部接続インターフェース１９にも接続されており、カメラをＴＶなどの外部表示装置との接続も可能である。操作部２１は、ここでは、図１で示した各種の操作ボタンなどを総称して示している。
【００２１】
図３はメニューボタン１１７の操作により、撮影メニューが液晶モニタ１１１に表示された様子を示している。ジョグダイヤル１１６と液晶モニタ１１１は隣り合って配置さている。そして、液晶モニタ１１１では、ジョグダイヤル１１６の円弧の一部が、表示されたような形態である。ジョグダイヤル１１６を回転させると、撮影メニューの各種項目が画面に次々とスクロールするように現れるとともに、画面の上下方向中央に位置し項目がカーソルで指示され、選択されるようになっている。
【００２２】
所望の項目が選択されたときに、ＯＫボタン１２０を押すと、選択された項目に関して詳細な設定を行うための画面に切り替わる。
【００２３】
図４（Ａ）は、「アルバム選択」という項目が選択されている様子を示している。ここでＯＫボタン１２０を押すと、図４（Ｂ）に示すように、記録メディアとしてハードディスク（ＨＤＤ）とＳＤカードのいずれを選択するのかを問い合わせてくる。ここでユーザーは、ＯＫボタン１２０を上向きの三角矢印の方向、或いは下向きの三角矢印の方向へ押し付けることにより、ＨＤＤまたはＳＤカードをカーソルで選択することができる。ＨＤＤをカーソルで選択した場合、「ＨＤＤ」と言う表示が液晶モニタ１１１に表示され、ＳＤカードを選択した場合、「ＳＤカード」という表示が液晶モニタ１１１に表示される。図４（Ｂ）は、「ＨＤＤ」が選択された様子を示している。
【００２４】
ここで、ハードディスクにすでに複数のアルバムがある場合は、図４（Ｃ）に示すように、アルバムアイコン６１，６２，６３がジョグダイヤル１１６の回転操作に伴って現れてくる。そしてこの場合は、中央に位置するアルバムアイコン６２のアルバムが選択可能であることを示している。このアルバムに対するアルバム名６４も表示される。
【００２５】
ここで、ＯＫボタン１２０を押して、アルバムアイコン６２に対応するアルバムを選択すると、このアルバムに対して、撮像データが関連付けられることになる。
【００２６】
今、図４（Ｃ）は、「family 101」というアルバムを選択した様子を示している。しかし、家族の中で、父親が撮影した第１のアルバム「family 101」に対して、息子が撮影した画像用の第２のアルバム「family」を作りたい場合がある。
【００２７】
このような場合、息子は、ＯＫボタン１２０を下向きの三角矢印の方向へ押し付けることにより、「新規作成」というアイテムを選択することができる。「新規作成」が選択された状態で、ＯＫボタン１２０が押されると、図４（Ｄ）に示すように、新しいアルバムが作成される。このときは、例えば第２のアルバムは「family102」として設定される。したがって、第１と第２のアルバムの区別は可能である。
【００２８】
続いて、さらにＯＫボタン１２０が押されると、図４（Ｅ）に示すように、アルバムに格納する画像ファイルの番号を、リセットするかどうかを問い合わせてくる。これは、ファミリーとしての第１のアルバムの続きとして第２のアルバムを作成したときは、画像ファイル番号が、連続したほうが好ましいし、第１のアルバムと、第２のアルバムとは独立したものとして扱う場合には、それぞれの画像ファイルは、初期値からスタートしたほうが好ましいからである。
【００２９】
この場合も、ユーザーは、ＯＫボタン１２０を上向きの三角矢印の方向、或いは下向きの三角矢印の方向へ押し付けることにより、「はい」「いいえ」のどちらかを選択することができる。
【００３０】
図４（Ｃ）の状態において、さらにジョグダイヤル１１６を回転させると、アルバムのアイコン（６１〜６３等）がスクロールする。ユーザーは任意のアルバムを選択可能であり、また新たなアルバムを作成することができる。
【００３１】
次に、本発明に係る静止画や動画像のバックアップリストの作成及び画像データの統合について説明する。
【００３２】
図５に示すように、カメラ１は、カメラ１が搭載する表示部を用い、任意の静止画像・動画像を液晶モニタ１１１の画面において表示し、所望の画像（静止画像及び／又は動画像）を選択する。選択された画像はバックアップリスト２０１に登録され、このバックアップリストはデータベースファイル２０１Ｆとして外部装置に送信される。
【００３３】
ここで、バックアップリスト２０１に記載される内容について説明する。左上に記載された”ＤＢＯＦ”は、このファイルがバックアップリストであることを示す識別子、「Ｔａｒｇｅｔ＝４．７ＧＢ」は、バックアップリスト２０１に記載された画像の画像データを記録するＤＶＤ等の記録先メディアの容量である。ユーザーはこの容量を任意に設定でき、記録される画像データの総容量がこの容量になるまで、画像ファイルをバックアップリスト２０１に登録できる。一番左側の列に記載された番号「０００１」、「０００２」、…は、画像ファイルの数等を確認するための番号であって固定値である。「ＤＣＩＭ」は、各画像ファイル（静止画像ファイル又は動画像ファイル）がデジタルカメラで撮影されたことを示す識別子である。「１００ＴＯＳＨＩ」あるいは「１０１ＴＯＳＨＩ」等は画像ファイルが格納されているフォルダのフォルダ名である。本願においてフォルダは前述のアルバムに対応する。
【００３４】
「ＭＥＨ００１．ｊｐｇ」、「ＭＥＨ００１．ｍｐｇ」等は各画像ファイルのファイル名である。このファイル名において、「００１」等の番号は、各フォルダにおいて画像ファイルが記録（撮影）された時間的順番を示し、「ｊｐｇ」は静止画像ファイル、「ｍｐｇ」は動画像ファイルを示す。例えば、最上段に記載されている「１００ＴＯＳＨＩ／ＭＥＨ００１．ｊｐｇ」で示される画像ファイルは、フォルダ１００ＴＯＳＨＩに最初に記録された静止画ファイルＭＥＨ００１．ｊｐｇであることを示す。
【００３５】
図６はバックアップリストの作成動作を示すフローチャートである。
【００３６】
先ずステップＳ１０１に示すように、ＣＰＵ２０はユーザーによる操作部２１の操作に応じて、図５に示すようなバックアップリスト作成用画面２２を表示する（ステップＳ１０１）。画面２２のほぼ中央には、選択可能な画像が表示されている。この画像がＯＫボタン１２０の押下により選択されると（Ｓ１０２のＹＥＳ）、ＣＰＵ２０は、選択された画像のファイル名をバックアップリスト２０１に登録する（ステップＳ１０３）。
【００３７】
ジョグダイヤル１１６がユーザーにより回転されると（ステップＳ１０４のＹＥＳ）、ＣＰＵ２０はジョグダイヤル１１６の回転方向に応じて、バックアップリスト作成用画面２２に表示される画像を図中矢印方向にスクロールし、次の画像又は１つ前の画像を画面２２の中央に表示する（ステップＳ１０５）。このとき、あるアルバム内の最後の画像の次の画像としては、次のアルバムのアイコンが表示される。又、あるアルバム内の最初の画像の１つ前の画像としては、１つ前のアルバムのアイコンが表示される。図５の画面２２はこの状態を示している。
【００３８】
アルバムのアイコンが画面２２の中央に表示され、ＯＫボタン１２０により選択されると（ステップＳＳ１０７のＹＥＳ）、ＣＰＵ２０は選択されたアルバム中に格納されている最初の画像を画面２２の中央に表示する（ステップＳ１０１）。このようにしてユーザーは、複数のアルバムに渡って画像を選択し、バックアップリスト２０１に登録することができる。
【００３９】
図７（Ａ）は、このようにして登録された画像ファイルのバックアップリスト２０１ａを示す。画像ファイルはユーザーにより選択された順に登録されている。例えば、先ず、フォルダ１００ＴＯＳＨＩ内に最初に記録されたファイルＭＥＨ００１．ｊｐｇが登録された後、フォルダ１０１ＴＯＳＨＩに最初に記録されたファイルＭＥＨ００１．ｍｐｇが登録され、その後、フォルダ１０１ＴＯＳＨＩの２番目のファイルＭＥＨ０１０．ｊｐｇが登録されている。
【００４０】
図６の説明に戻り、ステップＳ１０６のようにバックアップリスト作成用画面２２内の「決定」がユーザーにより選択されると、ＣＰＵ２０は図８に示すような画面２３を液晶モニタ１１１に表示し、アルバム（フォルダ）単位に画像データを統合するかユーザーに問い合わせる（ステップＳ１０８）。画面２３の「ＹＥＳ」が選択された場合（ステップＳ１０８のＹＥＳ）、ＣＰＵ２０は図９に示すような画面２４を液晶モニタ１１１に表示し、時系列に画像データを並べるかユーザーに問い合わせる（ステップＳ１０９）。
【００４１】
画面２４の「ＮＯ」が選択された場合（ステップＳ１０９のＮＯ）、ＣＰＵ２０は画像ファイルのファイル名を、バックアップリスト２０１においてフォルダ単位及び登録（選択）された順に並べる。画面２４の「ＹＥＳ」が選択された場合（ステップＳ１０９のＹＥＳ）、ＣＰＵ２０は画像ファイルのファイル名を、バックアップリスト２０１においてフォルダ単位及び時系列（カメラ１により画像が撮影された順）に並べる。
【００４２】
画面２３の「ＮＯ」が選択された場合（ステップＳ１０８のＮＯ）、ＣＰＵ２０は図９に示すような画面２４を液晶モニタ１１１に表示し、時系列に画像データを並べるかユーザーに問い合わせる（ステップＳ１１２）。画面２４の「ＹＥＳ」が選択された場合（ステップＳ１１２のＹＥＳ）、ＣＰＵ２０はバックアップリスト２０１に登録された全ファイルについて、ファイル名を時系列に並べる。画面２４の「ＮＯ」が選択された場合（ステップＳ１１２のＮＯ）、ＣＰＵ２０はバックアップリスト２０１に登録されたファイル名の並べ替えはしない。
【００４３】
図７（Ｂ）はバックアップリストにおけるファイル名の並べ替えをした例として、ステップＳ１１１のようにフォルダ単位及び時系列にファイル名を並べ替えた例を示す。例えばフォルダ１００ＴＯＳＨＩでは、１、５、７、８、９、１０、１２、１３、１４番目に撮影された画像のファイル名が時系列に配置されている。
【００４４】
次に、本発明に係るカメラ１と外部記録機器やパソコン用アプリケーションとの連携について説明する。
【００４５】
図１０（Ａ）はカメラ１と外部記録装置２００を接続した様子を示し、図１０（Ｂ）はカメラ１とＰＣ(personal computer)を接続した様子を示す。外部記録装置２００はＤＶＤ等の汎用の可搬型メディア２０５に画像データを記録できる装置である。ＰＣ２０４はＨＤＤ２０６及び／又は可搬型記録メディア５０８に対して画像データの記録再生を行うディスクドライブ２０７を有している。カメラ１と外部記録装置２００は、ＵＳＢケーブル等のケーブルあるいは無線で接続可能である。同様にカメラ１とＰＣ２０４も、ＵＳＢケーブル等のケーブルあるいは無線で接続可能である。
【００４６】
外部記録装置２００あるいはＰＣ２０４に搭載される統合処理部２０３は、図５を参照して説明したように作成されたバックアップリスト２０１のファイル２０１Ｆをカメラ１から取り込み、バックアップリスト２０１を解析する。バックアップリスト２０１に記載されたファイル名の順番に従い、対応する画像データがカメラ１から外部記録装置２００あるいはＰＣ２０４に転送され、統合処理部２０３により画像データの統合が行われる。
【００４７】
外部記録装置２００は統合処理部２０３をハードウエアとして有し、ＰＣは統合処理部２０３を画像記録用アプリケーションソフトウェアとして有している。このアプリケーションソフトウェアは、ＣＤ等の光ディスクあるいはＨＤＤに格納することができ、ＰＣが有するＲＡＭ（図示されず）にロードして統合処理部２０３として実行できる。統合処理部２０３により統合されたデータ群は、外部記録装置２００により汎用メディア２０５に記録されるか、あるいはＰＣ２０４によりＨＤＤ２０６またはディスクドライブ２０７を介して汎用メディア２０５に記録される。
【００４８】
図１１は、画像データの統合処理を概念的に示す図である。
【００４９】
図１１（Ａ）はカメラ１に記録された画像データのうち、バックアップリスト２０１にて指定された画像データ２０８を示している。図１１（Ｂ）は外部記録装置２００またはＰＣ２０４に搭載された統合処理部２０３により画像データ２０８の統合を行い、それぞれ連続して再生される一連の動画データＭ１、Ｍ２、Ｍ３を作成し、静止画データＳ１、Ｓ２…等と共に汎用メディア２０５にバックアップした状態を示している。
【００５０】
ここでは、一連の動画データをフォルダ単位に作成している。図１１では３つのフォルダ「１００ＴＯＳＨＩ」、「１０１ＴＯＳＨＩ」、「１０２ＴＯＳＨＩ」が存在するので、３つの動画データＭ１、Ｍ２、Ｍ３が作成されている。例えば動画データＭ１は、フォルダ１００ＴＯＳＨＩ内の静止画データと動画データを時系列に並べ、各静止画データをスライドショームービーに変換し、スライドショームービーと動画データを、連続して再生される一連の動画像として結合した動画データである。スライドショームービーとは、写真のスライドを順番にスクリーンに投影したときのように、各静止画を順番にそれぞれ所定の時間だけ表示することを示す。
【００５１】
図１１では、汎用メディアとしてのＤＶＤに、動画データＭ１、Ｍ２、Ｍ３をＤＶＤ−Ｖｉｄｅｏ規格に従って記録し、静止画の元データは静止画ファイルＳ１〜Ｓ４のように、別ファイルとして保存されている。１つの静止画のデータ量は大きいため、静止画は縮小して動画データ（ＤＶＤ−Ｖｉｄｅｏ規格におけるビデオの１フレーム）に収められる。
【００５２】
図１２は統合の処理の様子を示し、図１３は統合の処理を示すフローチャートである。この統合処理は、図１０の統合処理部２０３により実施される。
【００５３】
先ず統合処理部２０３は、図５を参照して説明したようにして作成されたバックアップリスト２０１をデータベースファイルとしてカメラ１から取り込み解析する（ステップＳ２０１）。次に統合処理部２０３は、バックアップリスト２０１に登録されているファイル名の順に、画像データをカメラ１から取り込む（ステップＳ２０２）。図１２は、ファイル名がフォルダ単位で時系列に登録された図７（Ｂ）のバックアップリストに従って画像データを取り込み、統合処理した例を示している。又、図１２はフォルダ１００ＴＯＳＨＩに関する動画像データ、即ち図１１（Ｂ）の動画像データＭ１を作成する場合を示している。図１２（Ａ）において、左から右に向かって撮影時間が古い順に画像データが取り込まれている。ＭＥＨ＿０００１．ｊｐｇが時間的には古く、ＭＥＨ＿００１４．ｊｐｇが時間的に新しい。
【００５４】
ステップＳ３では、図１２（Ｂ）のように静止画と動画を分類する。ＭＥＨ＿０００１及びＭＥＨ＿０００５のように、静止画が複数枚並んでいる場合は、複数枚を１つのスライドショームービーに、ＭＥＨ＿０００８のように１つの静止画の場合は、１つの静止画にてスライドショームービーを作成する。尚、このスライドショームービーでは、１静止画について、該静止画を縮小した画像フレームが所定時間繰り返し表示される。
【００５５】
複数枚の静止画を１つのスライドショームービー化する場合、その切り替わりに効果（トランジション）を挿入することが可能である。トランジションとは、現在表示されている静止画から次の静止画へ変更する場合、例えば静止画の縦の境界線を右から左へ移動したり、現在表示されている静止画を本のページをめくるようにして次の静止画へ移行するような、特殊効果映像である。
【００５６】
こうして全ての静止画をスライドショームービー化したならば、図１２（Ｃ）のように、各スライドショームービーと動画データとを時系列の順番で結合しながら、汎用メディアに記録していく（ステップＳ２０４）。各スライドショームービーと動画との結合部分では、切り替わり効果（トランジション）が挿入される他、チャプタ情報が自動挿入される。
【００５７】
このような流れで、ユーザーの要望に応じて、時系列あるいはユーザーが画像ファイルを選択した順に画像データを結合し、ストーリー性のある１つの動画データを静止画・動画混在で生成することが可能である。尚、ステップＳ２０２〜Ｓ２０４の処理は別々に説明したが、並行処理として行うことができる。つまり、カメラから画像を取り込みながら、分類及び統合しメディアに記録してもよい。
【００５８】
又、カメラ１と外部記録装置２００又はＰＣとは、一般にＵＳＢケーブル等のケーブルを用いて接続される。このようなケーブルを用いてデータを転送する場合、カメラ１は単なる画像記録媒体として機能する。つまりデータ転送中、カメラ１はデータ転送以外の動作が全て禁止される。従来は、カメラの記録媒体において、各画像が記録されている場所のアドレスの順に、画像がパソコンに取り込まれるので、転送の順番はカメラに記録された画像の配置により決まる。各画像の順番の変更は、カメラに記録された各画像の配置をカメラにて変更するか、パソコンに全画像が転送されてからパソコン上で画像の配置を変更しなければならない。本発明では、バックアップリストに従って画像を転送し、この転送により並べ替えが行われるので、処理効率が大幅に向上する。
【００５９】
以上の説明はこの発明の実施の形態であって、この発明の装置及び方法を限定するものではなく、様々な変形例を実施することができる。又、各実施形態における構成要素、機能、特徴あるいは方法ステップを適宜組み合わせて構成される装置又は方法も本発明に含まれるものである。
【図面の簡単な説明】
【００６０】
【図１】本発明が適用される電子カメラ装置１の概観を示す図である。
【図２】電子カメラ装置１の光学系、電気系の構成を示すブロック図である。
【図３】メニューボタン１１７の操作により、撮影メニューが液晶モニタ１１１に表示された様子を示す図である。
【図４】液晶モニタ上で「アルバム選択」という項目が選択されている様子を示す図である。
【図５】本発明に係るバックアップリストを作成する様子を示す図である。
【図６】バックアップリストの作成動作を示すフローチャートである。
【図７】アップリストの例を示す図である。
【図８】アルバム単位に画像データを統合するかユーザーに問い合わせるための画面を示す図である。
【図９】時系列に画像データを並べるかユーザーに問い合わせるための画面を示す図である。
【図１０】カメラ１と外部記録装置２００を接続した様子、及びカメラ１とＰＣを接続した様子を示す図である。
【図１１】画像データの統合処理を概念的に示す図である。
【図１２】統合の処理の様子を示す図である。
【図１３】統合の処理を示すフローチャートである。
【符号の説明】
【００６１】
１０１…撮像レンズ、１０２…フラッシュ、１０３…シャッターボタン、１０４…リモコン受信部、１０５…バッテリーカバー、１１０…表示部、１１１…液晶モニタ、１１２…スピーカ、１１３…パワーボタン、１１４…ズームバー、１１５…ムービー録画ボタン、１１６…ジョグダイヤル、１１７…メニューボタン、１１８…モードレバー、１１９…カードスロットカバー、１２０…ＯＫボタン。
【図１】
2006311268.tif 000003
【図２】
2006311268.tif 000004
【図３】
2006311268.tif 000005
【図４】
2006311268.tif 000006
【図５】
2006311268.tif 000007
【図６】
2006311268.tif 000008
【図７】
2006311268.tif 000009
【図８】
2006311268.tif 000010
【図９】
2006311268.tif 000011
【図１０】
2006311268.tif 000012
【図１１】
2006311268.tif 000013
【図１２】
2006311268.tif 000014
【図１３】
2006311268.tif 000015